(57)【要約】【課題】  作業中に、髪を挟んだ指を傷つけることなく、安全に作業をすることができる鋏を提供する。【解決手段】  鋏１に、夫々刃部２ａ，２ｂ及び持部３ａ，３ｂを有する一対の鋏片４ａ，４ｂと、刃部２ａ，２ｂと持部３ａ，３ｂとの間に位置し、一対の鋏片４ａ，４ｂを互いに回動可能に枢着する枢着部５と、枢着部５から夫々の刃部２ａ，２ｂの先端までの距離が互いに略等しい第一使用状態と、前記枢着部５から夫々の刃部２ａ，２ｂの先端までの距離が互いに異なる第二使用状態との間で、使用状態を切替可能とする切替手段とを具備させる。【選択図】  図１
2006255106.tif 000002
【特許請求の範囲】
【請求項１】
夫々刃部及び持部を有する一対の鋏片と、
前記刃部と前記持部との間に位置し、前記一対の鋏片を互いに回動可能に枢着する枢着部と、
前記枢着部から夫々の前記刃部の先端までの距離が互いに略等しい第一使用状態と、前記枢着部から夫々の前記刃部の先端までの距離が互いに異なる第二使用状態との間で、使用状態を切替可能とする切替手段と
を具備することを特徴とする鋏。
【請求項２】
前記一対の刃部は、互いに重なる閉位置から、通常使用範囲の上限開度となる開位置を経て、前記通常使用範囲を逸脱する不使用位置までの間で、開閉可能に枢着されており、
前記切替手段は、前記通常使用範囲における前記使用状態の切替を規制する切替規制手段を備えることを特徴とする請求項１に記載の鋏。
【請求項３】
前記枢着部は、
何れか一方の前記鋏片に設けられ、径方向の長さが周方向において変化する非真円形状の軸芯と、
他方の前記鋏片に形成され、前記軸芯が前記第一使用状態で嵌挿される第一孔部、前記軸芯が前記第二使用状態で嵌挿される第二孔部、及び前記第一孔部及び第二孔部を連通し前記軸芯を挿通可能とする連通孔部と
を有し、
前記切替規制手段は、前記軸芯の最大直径を、前記連通孔部の幅よりも大きくすることにより切替を規制することを特徴とする請求項２に記載の鋏。
【発明の詳細な説明】
【技術分野】
【０００１】
本発明は、理髪店や美容院等で使用される理美容用の鋏に関するものである。
【背景技術】
【０００２】
従来より、理髪店や美容院などでは、客の注文に応じて髪の長さやボリュームを調整するための手技が用いられている。例えば、髪の長さを直線状に揃える場合には、図４（Ａ）に示すように、ある一定の分量の髪９１を指９２で挟むとともに、これらの髪９１を挟んだ指９２と鋏の刃部９３ａ，９３ｂが略平行になるように、他方の手で鋏を操作することで髪９１を揃えてカットする手技が用いられる。
【０００３】
ところが、髪を直線状に揃えるだけでは、カット跡の直線が目立ち過ぎてしまうことから、最近では、自然な仕上がりで柔らかいイメージの髪型を要望する顧客が多い。
【０００４】
そこで、このような場合には、図４（Ｂ）に示すように、ある一定の分量の髪９１を指９２で挟み、刃部９３ａ，９３ｂの先端が指９２の方を向くように、髪９１に対して斜めに少しずつカットすることで、全体的に毛先が鋸歯状となるようにする手技が用いられる。
【０００５】
上記の技術は、当業者においては当然のごとく知られているものであり、本出願人は、本願出願時において、上記の技術が記載されている文献を知見していない。
【発明の開示】
【発明が解決しようとする課題】
【０００６】
しかしながら、図４（Ｂ）に示す手技では、毛先に対する細かな作業であることから髪９１を挟む指９２と刃部９３ａ，９３ｂの先端とが接近した状態でカットが繰り返され、しかも刃部９３ａ，９３ｂの先端が指９２の方を向いた状態で作業が行われるため、刃部９３ａ，９３ｂの先端部分で指９２を挟む恐れがあった。特に、理美容業に従事している者は、髪の仕上がりに気を配りながら、速い操作でカットを繰り返すため、鋏によって指先を傷つけることが多々あった。
【０００７】
そこで、本発明は上記の実情に鑑み、作業中に、髪を挟んだ指を傷つけることなく、安全に作業をすることができる鋏の提供を課題とするものである。
【課題を解決するための手段】
【０００８】
本発明に係る鋏は、「夫々刃部及び持部を有する一対の鋏片と、前記刃部と前記持部との間に位置し、前記一対の鋏片を互いに回動可能に枢着する枢着部と、前記枢着部から夫々の前記刃部の先端までの距離が互いに略等しい第一使用状態と、前記枢着部から夫々の前記刃部の先端までの距離が互いに異なる第二使用状態との間で、使用状態を切替可能とする切替手段とを具備する」構成とするものである。
【０００９】
ここで、髪を切断することができる切断部は、夫々の刃部が互いに対向する側に形成されており、枢着部を支点として持部を開閉させることにより、夫々の刃部が開閉し、切断部が協働して髪を切断することができる。また切替手段としては、一対の鋏片を互いにスライドさせることにより切替られるもの、枢着部を二箇所設けて、何れか一方の鋏片を付け替えることで切替られるもの、などを例示することができる。
【００１０】
本発明によると、第二使用状態にあるときは、枢着部から夫々の刃部の先端までの距離が互いに異なるため、突出している側の刃部の先端が指に当接することはあっても、刃部を閉じた際に、刃部の先端で指が双方から挟みつけられることはない。したがって指を傷つけることはなく、安全に作業することできる。
【００１１】
また、切残しの処理など刃部の先端で行う細かい処理は、第二使用状態では不向きな場合がある。しかしながら、第一使用状態に切替えることにより、通常の鋏と同様に刃部の先端で細かな処理を行うことも可能になる。したがって、第一使用状態と第二使用状態との間で使用状態を切り替えることで、一つの鋏を利用して、毛先を鋸歯状にカットする作業を安全に行わせることができるとともに、刃先を使った細かな作業も容易に行わせることができる。
【００１２】
本発明に係る鋏は、「前記一対の刃部は、互いに重なる閉位置から、通常使用範囲の上限開度となる開位置を経て、前記通常使用範囲を逸脱する不使用位置までの間で、開閉可能に枢着されており、前記切替手段は、前記通常使用範囲における前記使用状態の切替を規制する切替規制手段を備える」構成とすることもできる。
【００１３】
ここで通常使用範囲とは、夫々の持部の一方に親指を挿通し、他方の持部に親指以外の指を挿通し、一対の鋏片を持部により、枢着部を支点として刃部開閉させ、髪を切ることが可能な範囲のことである。
【００１４】
本発明によると、切替規制手段により、髪を切っている最中に、使用者の意思に反して使用状態が切り替わるのを防止することができる。
【００１５】
本発明に係る鋏は、「前記枢着部は、何れか一方の前記鋏片に設けられ、径方向の長さが周方向において変化する非真円形状の軸芯と、他方の前記鋏片に形成され、前記軸芯が前記第一使用状態で嵌挿される第一孔部、前記軸芯が前記第二使用状態で嵌挿される第二孔部、及び前記第一孔部及び第二孔部を連通し前記軸芯を挿通可能とする連通孔部とを有し、前記切替規制手段は、前記軸芯の最大直径を、前記連通孔部の幅よりも大きくすることにより切替を規制する」構成とすることもできる。
【００１６】
ここで、非真円形状は、鋏片の回動の妨げにならない滑らかな形状が望ましく、楕円、長円などを例示することができる。
【００１７】
本発明によると、軸芯を第一孔部に嵌挿させると第一使用状態となり、軸芯を第二孔部に嵌挿させると第二使用状態となる。そして、軸芯を連通孔部にて挿通させることにより、軸芯が嵌挿する孔部を切替えることが可能になり、これにより使用状態が切替えられる。また、軸芯の形状は非真円であり、さらに連通孔部の幅よりも軸芯の最大直径の方が大きいため、ある一定の角度で軸芯と連通孔部が互いに対向しないと、軸芯は連通孔部を通過することができない。こうして軸芯の挿通を規制することで、使用状態が切り替わるのを規制している。
【００１８】
したがって、切替手段及び切替規制手段は、一つの軸芯と、第一孔部、第二孔部及び連結孔部が一体となった孔部とからなるものであり、複雑な機構を用いていないため、製造コストを安価なものとすることができる。
【発明の効果】
【００１９】
本発明によると、作業中に髪を挟んだ指を傷つけることなく、安全に作業をすることができ、さらに、使用状態を切替えることで、細かい処理を刃部の先端を使って行うこともできる。
【発明を実施するための最良の形態】
【００２０】
以下、本発明の実施するための最良の一実施形態である鋏について、図１乃至図３に基づき説明する。図１は本発明の鋏の一例を示す全体図であり、図２は図１の鋏の分解斜視図であり、図３（Ａ）は図１の鋏の使用状態が切り替わる様子を示す説明図であり、図３（Ｂ）は、その時の要部を拡大して示す拡大図である。
【００２１】
本実施形態の鋏１は、夫々刃部２ａ，２ｂ及び持部３ａ，３ｂを有する一対の鋏片４ａ，４ｂと、刃部２ａ，２ｂと持部３ａ，３ｂとの間に位置し、一対の鋏片４ａ，４ｂを互いに回動可能に枢着する枢着部５とを備えている。
【００２２】
夫々の刃部２ａ，２ｂの互いに対向する側に切断部６ａ，６ｂが形成されている。また枢着部５は、鋏片４ａに溶着された軸芯７と、鋏片４ｂに形成された孔部８とからなるものであり、孔部８は、第一孔部９ａ、第二孔部９ｂ及びその間の連通孔部１０から構成されている。なお、軸芯７に設けられたネジ孔１１とネジ孔１１に嵌合可能なネジ１２とにより、鋏片４ａと鋏片４ｂとは回動可能に枢着されている。ここで、軸芯７と孔部８とを組み合わせることで、本発明における切替手段が構成されている。
【００２３】
軸芯７は、図２に示すように、円形から円弧を平行に切り取られ、径方向の長さが周方向において変化する長円状をしており、第一孔部９ａと第二孔部９ｂとは、夫々軸芯７の最大直径と略同径からなる円形状となっている。また挿通孔部１０は、軸芯７の最大直径Ｌ１（図３（Ｂ）参照）よりも小寸で、かつ軸芯７における最小幅Ｌ２よりも大寸である。ここで、軸芯７の最大直径Ｌ１を連通孔部１０の幅よりも大きくすることにより、本発明における切替規制手段を構成している。
【００２４】
次に、本実施形態の鋏１の作用及び使用方法について説明する。鋏１を用いて、直線状のカットや細かい処理などを行うときは、軸芯７を第一孔部９ａに嵌挿させる。このとき、枢着部５から刃部２ａ及び刃部２ｂの先端までの距離が互いに略等しくなり（第一使用状態）、通常用いられる鋏と同様の形態となる。なお、図１では第一使用状態における鋏片４ｂの位置を二点鎖線で示している。
【００２５】
また、鋏１を用いて毛先を鋸歯状にカットするために、刃部２ａ，２ｂの先端を指の方に向けて作業をするときは、軸芯１１を第二孔部９ｂに嵌挿させ、枢着部５から刃部２ａ及び刃部２ｂの先端までの距離が互いに異なる状態（第二使用状態）を形成する。なお、本実施形態では刃部２ｂの先端が突出しており、図１では第二使用状態における鋏片４ｂの位置を実線で示している。
【００２６】
鋏１を第一使用状態及び第二使用状態との間で切り替えるには、持部３ａ，３ｂを夫々の手で握り、鋏片４ａ，４ｂを開いていき、軸芯７の長径方向と連通孔部１０の幅方向とが直角となる角度で、鋏片４ａ，４ｂを互いに摺動させて、軸芯７を連通孔部１０に挿通させて第一孔部９ａまたは第二孔部９ｂに嵌挿させる。
【００２７】
なお、持部３ａ，３ｂに指をかけて刃部２ａ，２ｂを開閉させる通常使用範囲（図３（Ａ）二点鎖線参照）においては、軸芯７の長径方向と連通孔部１０の幅方向とが直角にならないため、作業中に軸芯７が連通孔部１０を挿通することはない。ここで、通常使用範囲とは、夫々の持部３ａ，３ｂの一方に親指を挿通し、他方に親指以外の指を挿通し、一対の鋏片４ａ，４ｂを、持部３ａ，３ｂの開閉により、枢着部５を支点として刃部２ａ，２ｂ開閉させ、髪を切ることが可能な範囲である。
【００２８】
このように、本実施形態の鋏１によると、第二使用状態にあるときは、枢着部５から刃部２ａ、刃部２ｂの先端までの距離が互いに異なるため、突出している刃部２ｂの先端が指に当接することがあっても、刃部２ａ，２ｂを閉じる際に刃部２ａ，２ｂの先端で指が双方から挟みつけられることはない。したがって、指を傷つけることはなく、安全に作業することできる。
【００２９】
また、切残しの処理など刃部２ａ，２ｂの先端で行う細かい処理は、鋏１が第二使用状態では不向きな場合がある。しかしながら、鋏１を第一使用状態に切替えるようにすれば、通常の鋏と同様に刃部２ａ，２ｂの先端で細かな処理を行うことも可能になる。したがって、第一使用状態と第二使用状態との間で使用状態を切り替えることで、一つの鋏１を利用して、毛先を鋸歯状にカットする作業を安全に行わせることができるとともに、刃部２ａ，２ｂの先端を使った細かな作業を容易に行わせることができる。
【００３０】
また、鋏１は切替規制手段を備えているため、髪を切っている最中に、使用者の意思に反して使用状態が切り替わるのを防止することができる。
【００３１】
さらに、切替手段及び切替規制手段は、一つの軸芯７と、孔部８とからなるものであり、複雑な機構を用いていないため、鋏１の低廉化を図ることができる。
【００３２】
以上、本発明について好適な実施形態を挙げて説明したが、本発明はこの実施形態に限定されるものではなく、以下に示すように、本発明の趣旨を逸脱しない範囲において、種々の改良及び設計の変更が可能である。
【００３３】
本実施例では、軸芯７として、断面が長円形状のものを示したが、楕円の形状からなる軸芯でもよい。また、本実施例では、第一孔部９ａ、第二孔部９ｂ及び連通孔部１０からなる孔部８を示したが、第一孔部９ａと第二孔部９ｂとが夫々離間したものであってもよい。この場合、軸芯にネジを用いることで、軸芯を一方の孔部から取外し、他方の孔部に装着させることができる。ただし、上記実施形態のように連通孔部１０を備えるようにすれば、各鋏片４ａ，４ｂを分離させることなく、切り替えることができるため、使い勝手に優れる。
【００３４】
また、夫々の刃部２ａ，２ｂのいずれか一方を複数の櫛刃からなるすき刃としてもよい。さらに理美容用の鋏だけでなく、紙を切断する文具用の鋏、布地を裁断する裁断用の鋏等、他の鋏においても本発明を適用することができる。
【図面の簡単な説明】
【００３５】
【図１】本発明の鋏の一例を示す全体図である。
【図２】本発明の鋏の分解斜視図である。
【図３】（Ａ）は本発明の鋏の使用状態が切り替わる様子を示す説明図であり、（Ｂ）は、その時の要部を拡大して示す拡大図である。
【図４】（Ａ）は従来の鋏で髪を直線状にカットするときの様子を示す説明図であり、（Ｂ）は従来の鋏で髪を鋸歯状にカットするときの様子を示す説明図である。
【符号の説明】
【００３６】
１  鋏
２ａ，２ｂ  刃部
３ａ，３ｂ  持部
４ａ，４ｂ  鋏片
５  枢着部
７  軸芯
９ａ  第一孔部
９ｂ  第二孔部
１０  連通孔部
【図１】
2006255106.tif 000003
【図２】
2006255106.tif 000004
【図３】
2006255106.tif 000005
【図４】
2006255106.tif 000006